(57)【要約】【課題】コンパクト性を考慮しつつ、空気清浄機能の低下にも考慮した空気清浄機能付き照明装置を提供する。【解決手段】空気清浄機能付き照明装置１００は、筐体１１０と、フィルター１２０と、照明１４０とを有する。筐体１１０は、天井から吊り下げた状態で当該天井に対して間隔をあけて設置され、環境の空気を取り込むための吸気孔１１２が吊り下げ方向に対して側方に形成される。フィルター１２０は、筐体１１０内に配置され、吸気孔１１２から取り込まれた空気を浄化すると共に、浄化後の空気が筐体１１０内で流れる流路１２６を形成する。照明１４０は、筐体１１０内に位置する。ファン１５２は、流路１２６内または流路１２６の延長軸上に設けられ、筐体１１０の外部から流路１２６に向かう気流を発生する。【選択図】図３
2018206593.tif 000002
【特許請求の範囲】
【請求項１】
天井から吊り下げた状態で当該天井に対して間隔をあけて設置され、環境の空気を取り込むための吸気孔が吊り下げ方向に対して側方に形成される筐体と、
前記筐体内に配置され、前記吸気孔から取り込まれた空気を浄化すると共に、浄化後の空気が前記筐体内で流れる流路を形成するフィルターと、
前記筐体内に位置する照明と、
前記流路内または前記流路の延長軸上に設けられ、前記筐体の外部から前記流路に向かう気流を発生するファンと、
を有する空気清浄機能付き照明装置。
【請求項２】
前記フィルターは、筒状に形成されており、当該筒状の内側の空洞が前記流路を形成する請求項１に記載の空気清浄機能付き照明装置。
【請求項３】
前記吸気孔は、前記筐体の全周に亘って複数形成されている請求項１または請求項２に記載の空気清浄機能付き照明装置。
【請求項４】
前記照明は、前記流路内に少なくとも一部が挿入されている請求項１〜３のいずれか一項に記載の空気清浄機能付き照明装置。
【請求項５】
前記環境の変化を検出する検出部と、
前記検出部による検出結果に応じて、前記照明および前記ファンの少なくとも一方の作動または停止を切り換える制御部と、
をさらに有する請求項１〜４のいずれか一項に記載の空気清浄機能付き照明装置。
【請求項６】
駆動時間を計測する計測部と、
前記計測部により計測した駆動時間が所定時間を超えると、ユーザーに前記フィルターの交換時期として通知する通知部と、
をさらに有する請求項１〜５のいずれか一項に記載の空気清浄機能付き照明装置。
【請求項７】
前記ファンを通過した空気が前記筐体の側方または上方に向かうように、前記空気の流れを規制するガイドをさらに有する請求項１〜６のいずれか一項に記載の空気清浄機能付き照明装置。
【発明の詳細な説明】
【技術分野】
【０００１】
本発明は、空気清浄機能付き照明装置に関する。
【背景技術】
【０００２】
照明と空気清浄機を組み合わせた空気清浄機能付き照明装置が知られている（たとえば、特許文献１参照）。
【０００３】
このような空気清浄機能付き照明装置では、食卓等の照明として違和感なく配置され、さらに、装置下面から環境空気を吸引し浄化を行える。特に、食卓で調理しながら料理を楽しむ場合、たとえば、加熱された鉄板上で肉や野菜を焼き、食事を行う場合、鉄板上方に空気清浄機能付き照明装置があれば、調理に伴う煙が直ちに浄化され、非常に便利である。
【０００４】
上記のような空気清浄機能付き照明装置は、食卓という環境だけではなく、様々な環境でも適用が求められている。たとえば、喫茶店や、商店のイートインスペースなどにも適用できる。このように、空気清浄機能付き照明装置は、様々な環境での適用が望まれている。
【先行技術文献】
【特許文献】
【０００５】
【特許文献１】特開２０１４−２２１０４号公報
【発明の概要】
【発明が解決しようとする課題】
【０００６】
適用される環境やユーザーの趣向によって、空気清浄機能付き照明装置に求められる外観や大きさも多様である。このような多様性から、空気清浄機能付き照明装置には、コンパクト性が求められる場合もある。
【０００７】
コンパクト性が求められる場合でも、空気清浄機能の担保が必要である。特許文献１に記載の空気清浄機能付き照明装置のように、下面から環境を吸引する場合、装置がコンパクトになると、吸入箇所も小さくなり、空気の吸い込み効率が低減する虞がある。これでは、結果として、空気清浄機能が低下してしまう。
【０００８】
本発明は、上記事情に鑑みてなされたものであり、コンパクト性を考慮しつつ、空気清浄機能の低下にも考慮した空気清浄機能付き照明装置を提供することを目的とする。
【課題を解決するための手段】
【０００９】
照明装置は、筐体と、フィルターと、照明と、ファンとを有する。筐体は、天井から吊り下げた状態で当該天井に対して間隔をあけて設置され、環境の空気を取り込むための吸気孔が吊り下げ方向に対して側方に形成される。フィルターは、筐体内に配置され、吸気孔から取り込まれた空気を浄化すると共に、浄化後の空気が筐体内で流れる流路を形成する。照明は、筐体内に位置する。ファンは、流路内または流路の延長軸上に設けられ、筐体の外部から流路に向かう気流を発生する。
【発明の効果】
【００１０】
空気清浄機能付き照明装置によれば、吸気孔が筐体の側方に形成されている。したがって、空気清浄機能付き照明装置の小型化により筐体の吊り下げ方向の投影面積が小さくな
っても、当該投影面の面積に関係なく、側方から広く吸気できる。小型化に関わらず吸気効率を維持でき、結果として空気清浄機能を維持できる。空気清浄機能付き照明装置が小型化されない場合でも、広い吸入口により、空気清浄機能を向上できる。
【図面の簡単な説明】
【００１１】
【図１】本実施形態の空気清浄機能付き照明装置の斜視図である。
【図２】本実施形態の空気清浄機能付き照明装置の斜視図である。
【図３】本実施形態の空気清浄機能付き照明装置の分解斜視図である。
【図４】図１のＩＶ−ＩＶ線に沿った空気清浄機能付き照明装置の部分断面部である。
【図５】図１のＶ−Ｖ線に沿った空気清浄機能付き照明装置の断面図である。
【図６】センサーが設けられた空気清浄機能付き照明装置を示す図である。
【図７】計測部および通知部が設けられた空気清浄機能付き照明装置を示す図である。
【図８】ガイド付きの空気清浄機能付き照明装置の例を示す斜視図である。
【図９】図８のＩＸ−ＩＸ線に沿った断面図である。
【発明を実施するための形態】
【００１２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
図１および図２は本実施形態の空気清浄機能付き照明装置の斜視図、図３は本実施形態の空気清浄機能付き照明装置の分解斜視図、図４は図１のＩＶ−ＩＶ線に沿った空気清浄機能付き照明装置の部分断面部、図５は図１のＶ−Ｖ線に沿った空気清浄機能付き照明装置の断面図である。
【００１４】
図１〜図５に示す空気清浄機能付き照明装置１００は、いわゆるつり下げ式の照明装置である。図中、吊り下げのためのワイヤー、天井面に固定されたローゼットに接続される配線、ローゼットカバー等は省略している。空気清浄機能付き照明装置１００は、天井から吊り下げた状態で当該天井に対して間隔をあけて設置される。空気清浄機能付き照明装置１００は、図中下方から照明光を照射する。また、空気清浄機能付き照明装置１００は、筐体１１０の側方から吸気し、内部のフィルター１２０により空気を浄化して、上方から排気する。
【００１５】
空気清浄機能付き照明装置１００は、図３に示すように、筐体１１０、フィルター１２０、内側ガード１３０、照明１４０および排気部１５０を有する。
【００１６】
筐体１１０は、円筒形状を有し、空気清浄機能付き照明装置１００の吊り下げ方向に対して側方の全周に複数の吸気孔１１２が設けられている。吸気孔１１２は、環境の空気を取り込むために設けられている。吸気孔１１２の数や径は、筐体１１０の剛性および耐久性により、適宜設計される。たとえば、吸気孔１１２が形成される範囲において、開口率が３０〜７０％となるように、吸気孔１１２が形成される。また、複数の吸気孔１１２が設けられることによって、筐体１１０は、フィルターの役割も果たす。吸気時に、環境中の比較的大きな埃等を捕捉できる。
【００１７】
筐体１１０の図中下端は、樹脂やガラス等の透明板が取り付けられており、照明１４０の光を下方に透過する。また、筐体１１０の下端から上方に向けて、散乱板１１４が設けられている。散乱板１１４は、照明１４０の光を散乱させ、空気清浄機能付き照明装置１００を目視した際のまぶしさを低減する。筐体１１０の上端側方には、吸気孔１１２とは
別に嵌合孔１１６が設けられている。嵌合孔１１６は、後述する排気部１５０に取り付けるためのネジ部材１５６の径と合致する大きさに形成されている。
【００１８】
フィルター１２０は、筐体１１０内に配置され、好ましくは、筐体１１０の内壁と密着する。フィルター１２０は、全体として円筒状に形成されており、筐体１１０の吸気孔１１２から吸入された空気を円筒の内部に通しつつ、浄化する。フィルター１２０の円筒の内部は、浄化後の空気が通過する流路１２６を形成する。なお、本明細書では、流路１２６は、実際に空気が流動する部分だけを示すのではなく、フィルター１２０の円筒の内部の吹き抜け部分全体を示す。また、以下では、流路１２６の延長軸上という場合、フィルター１２０の円筒の中心軸の延長線上を意味するものとする。
【００１９】
フィルター１２０は、本実施形態では、集塵フィルター１２２と、脱臭フィルター１２４を含む。集塵フィルター１２２は、筒状に形成されており、脱臭フィルター１２４の外周に配置される。集塵フィルター１２２は、金属や樹脂に多数の孔を設けたパンチングタイプ、カットベンドタイプ、ラス網などの網目状タイプ、不織布タイプなどを採用できる。本実施形態では、集塵フィルター１２２は、不織布タイプを採用する。集塵フィルター１２２は、フィルターの役割を果たす筐体１１０よりも細かい埃等を集塵できる。
【００２０】
脱臭フィルター１２４は、活性炭等を内蔵し、空気が通り抜ける際、空気中に含まれる臭いを吸着して、空気から臭いを分離除去する。脱臭フィルター１２４は、消臭剤がコーティングされ、付着した臭気成分を消臭してもよい。
【００２１】
脱臭フィルター１２４は、図３および図４に示すように、蛇腹状に周囲が屈曲された、円筒状のフィルターである。脱臭フィルター１２４は、たとえば、矩形のフィルターを蛇腹状に屈曲し、両端を接合することにより形成できる。脱臭フィルター１２４は、蛇腹状に形成されることにより、表面積を大きくでき、脱臭効率を向上できる。脱臭フィルター１２４は、円筒状に形成されており、内部に空洞がある。本実施形態では、当該空洞が、集塵フィルター１２２および脱臭フィルター１２４により浄化された空気が通過する流路１２６となる。つまり、筐体１１０の外部の環境空気は、図４において矢印により示すように、集塵フィルター１２２および脱臭フィルター１２４を通り、流路１２６まで流れ込む。
【００２２】
フィルター１２０は、集塵フィルター１２２および脱臭フィルター１２４だけに限らず、脱煙フィルターやグリスフィルター、その他のフィルターを含んでもよい。
【００２３】
内側ガード１３０は、筐体１１０内に配置される。内側ガード１３０は支持部１３２と、ガード部１３４とを有する。支持部１３２は、たとえば平板状に形成されており、内側ガード１３０を筐体１１０内に挿入した際に、筐体１１０の散乱板１１４に突き当たり、位置決めされる。支持部１３２は、フィルター１２０を支持することもできる。ガード部１３４は、フィルター１２０により形成される流路１２６に沿う形状を有し、フィルター１２０内に挿入される。ガード部１３４は、表面に複数の孔が形成されてあり、フィルター１２０により浄化された空気が内側ガード１３０内に流入するのを許容する。ガード部１３４は、空気の流れにより内側に引き寄せられるフィルター１２０の位置を規制する。
【００２４】
照明１４０は、たとえば、ＬＥＤ電球や、白熱電球である。照明１４０は、内側ガード１３０のガード部１３４内に挿入される。照明１４０は、発光部分の少なくとも一部が内側ガード１３０よりも下方に露出していることが好ましい。逆にいうと、照明１４０の少なくとも一部は、内側ガード１３０内、つまり、浄化後の空気の流路内に位置する。照明１４０へ電力を供給する配線は、排気部１５０から伸延している。
【００２５】
排気部１５０は、図５に示すように、ファン１５２が内蔵されている。ファン１５２は、流路１２６（図５において両矢印により示す部分）の延長軸上に位置する。ファン１５２は、図５において矢印で示すように、筐体１１０の外部の環境空気を、吸気孔１１２、フィルター１２０、流路１２６に導き、さらに、筐体１１０の外部に排出する空気流を形成する。空気は、排気部１５０の端面に形成された排気口１５４から排出される。本実施形態では、排気口１５４は、排気部１５０において天井に対面する天面に設けられるものとして説明する。しかし、排気口１５４は、排気部１５０の周囲（側方）に向けて開口してもよい。ファン１５２の駆動電力は、図示しない天井面のローゼットから取得される。
【００２６】
排気部１５０には、少なくとも一ヶ所にネジ部材１５６が取付可能である。ネジ部材１５６が筐体１１０の嵌合孔１１６を挿通するように、排気部１５０に締結されることにより、排気部１５０と筐体１１０が固定される。
【００２７】
以上のように構成される本実施形態の空気清浄機能付き照明装置１００によれば、以下の効果を奏する。
【００２８】
本実施形態の空気清浄機能付き照明装置１００においては、筐体１１０のスペースを有効活用して、筐体１１０内にほぼ全ての構成の全部または一部が収容されるように構成されている。したがって、空気清浄機能付き照明装置１００を種々の場面で適用する際のデザイン性や設計性を向上できる。特に、筐体１１０内のスペースの有効活用により、空気清浄機能付き照明装置１００の小型化にも貢献できる。本実施形態の空気清浄機能付き照明装置１００のように天井から吊り下げるタイプの場合、ユーザーの目線により近くに設置されるため、小型化の要望が多く、当該要望に応えられる。
【００２９】
さらに、空気清浄機能付き照明装置１００によれば、吸気孔１１２が筐体１１０の側方に形成されている。したがって、空気清浄機能付き照明装置１００の小型化により筐体１１０の吊り下げ方向の投影面積が小さくなっても、当該投影面の面積に関係なく、側方から広く吸気できる。小型化に関わらず吸気効率を維持でき、結果として空気清浄機能を維持できる。空気清浄機能付き照明装置１００が小型化されない場合でも、広い吸入口により、空気清浄機能を向上できる。
【００３０】
吸気孔１１２は、筐体１１０の全周に亘って複数形成されているので、筐体１１０がフィルターとして機能する。したがって、内部のフィルター１２０の空気清浄機能を補助できる。
【００３１】
フィルター１２０によって形成される流路１２６内に照明１４０が挿入されている。したがって、空気清浄機能に必要な空気の流路１２６が照明１４０の配置場所として有効に活用される。筐体１１０内の空間の有効活用により、空気清浄機能付き照明装置１００の流路の延長軸方向の小型化を達成できる。また、照明１４０の配線等は樹脂等に保護されているものの、照明１４０の一部が流路１２６にあるため、通過する空気により照明１４０を冷却できる。冷却により、照明１４０の光源や回路の寿命を延長できる。
【００３２】
排気口１５４は、排気部１５０の天面に設けられる。したがって、排気された空気と、吸気孔１１２から吸気される空気が混ざりにくい。結果として、未浄化の環境空気を効率的に浄化できる。
【００３３】
なお、上記実施形態では、ファン１５２は、流路１２６の延長軸上の下流側に位置する場合について説明した。しかし、ファン１５２は、流路１２６の途中や、あるいは、流路１２６の延長軸上の上流側に位置することもできる。流路１２６の途中にファン１５２を設ければ、軸方向により小型化が臨める。
【００３４】
また、上記実施形態では、照明１４０の一部が流路１２６内に配置される場合について説明した。しかし、照明１４０の全部が流路１２６内に配置されてもよい。あるいは、照明１４０の全部が、流路１２６の外に配置されてもよい。
【００３５】
また、上記実施形態では、空気清浄機能付き照明装置１００が脱臭フィルター１２４を有する形態について説明した。空気清浄機能付き照明装置１００は、脱臭フィルター１２４に加えて、あるいは脱臭フィルター１２４に代えて、マスキングのためのマスキング部を有してもよい。マスキング部は、たとえば、芳香剤を保持する保持部材であり、筐体１１０内の流路１２６や、排気部１５０内の空気の流動経路に設けられる空気清浄機能付き照明装置１００内に流れる空気に、芳香成分を混同する。これにより、空気中の臭気をマスキングし、臭気の臭いを芳香剤の良い香りで上書きし、排気できる。さらに、空気清浄機能付き照明装置１００は、脱臭フィルター１２４に加えて、あるいは脱臭フィルター１２４に代えて、臭いを除去するイオン発生部を有してもよい。イオン発生部は、たとえば、放電陽極および放電陰極を有し、空気中の水分子および酸素分子を分解して、水素イオンと酸素イオンを発生する。イオン発生部は、たとえば、排気部１５０内に設けられ、発生したイオンが、空気清浄機能付き照明装置１００内で流動する空気に混ざることによって、空気中の菌や臭いを除去する。このように、空気清浄機能付き照明装置１００は、フィルター１２０による清浄機能だけでなく、上記の方法や、また別の方法により、マスキングや消臭除菌機能を備えてもよい。なお、脱臭フィルター１２４が省略される場合、流路１２６は、集塵フィルター１２２の円筒の内部として規定される。
【００３６】
空気清浄機能付き照明装置１００には、さらに、様々な改良や機能の追加が可能である。以下、空気清浄機能付き照明装置１００の変形例について説明する。
【００３７】
（変形例１）
図６は、センサーが設けられた空気清浄機能付き照明装置を示す図である。
【００３８】
変形例１においては、空気清浄機能付き照明装置１００は、環境の変化を検出する検出部１６０と、検出部１６０による検出結果に応じて、ファン１５２の作動または停止を切り換える制御部１７０と、をさらに有する。
【００３９】
図６に示すように、検出部１６０は、たとえば、筐体１１０の下方から環境の変化を確認できる位置に設けられている。ただし、検出部１６０は環境の変化を確認できれば、空気清浄機能付き照明装置１００の内外のいずれの箇所に設けられてもよい。検出部１６０が空気清浄機能付き照明装置１００の外部に設けられる場合、検出部１６０は、筐体１１０の外部に取り付けられる他、たとえば、ローゼットカバーや、天井面や壁面等に設けられても良い。
【００４０】
検出部１６０は、たとえば、環境の変化として、臭気の量の変化を検出可能な臭いセンサーである。臭いセンサーは、たとえば、金属酸化物素子または有機半導体膜素子の誘電率の変化や、水晶振動子の周波数変化により、臭気の量の変化を検出する。他にも、臭いセンサーは、いかなる方式により臭いを検出してもよい。
【００４１】
制御部１７０は、たとえば、排気部１５０内に設けられている。制御部１７０は、空気の流れを妨げない位置に設けられることが好ましい。制御部１７０は、ファン１５２と接続されており、ファン１５２の作動または停止を制御できる。
【００４２】
制御部１７０は、検出部１６０によって検出した臭気の量が所定の閾値より大きくなると、ファン１５２を作動させる。一方、検出部１６０によって検出した臭気の量が所定の
閾値未満になるとファン１５２を停止させる。このように、ファン１５２の作動および停止を切り換えることによって、空気清浄機能付き照明装置１００の消費電力を節約でき、電力コストを低減できる。
【００４３】
（変形例２）
変形例２においても、検出部１６０を採用する。ただし、変形例２では、検出部１６０は、環境の変化として、湿度の変化を検出可能な湿度センサーである。空気清浄機能付き照明装置１００が食卓や、イートインスペースなどに適用される場合、下に料理が置かれる。温かい料理からは蒸気が発生する。発生した蒸気には、食べ物の臭いが含まれる。発生した蒸気が上昇すると、空気清浄機能付き照明装置１００の周囲の湿度が上昇する。この湿度の上昇を検知することによって、環境の臭気の量の変化として検知できる。
【００４４】
したがって、制御部１７０は、変形例１と同様に、湿度が所定の閾値より大きい場合に、ファン１５２を動作させ、閾値未満の場合にファン１５２を停止することによって、食べ物の臭いが含まれる蒸気を適切に排除できる。
【００４５】
（変形例３）
変形例３においても、検出部１６０を採用する。変形例３では、検出部１６０は、環境の変化として、環境中の有無を検出する人感センサーである。変形例３では、制御部１７０は、ファン１５２の作動および停止に加え、照明１４０の点灯（作動）および消灯（停止）を切換可能である。このため、制御部１７０は、照明１４０の基板にも接続されている。
【００４６】
たとえば、制御部１７０は、検出部１６０により人の存在が検出される場合、ファン１５２および照明１４０を作動させる。検出部１６０により人の存在が検出されない場合、制御部１７０はファン１５２および照明１４０を停止させる。このようにすれば、臭いを発する食品等を人が環境に持ち込むときに、照明と消臭の両方を提供できる。人がいないときは、臭いを発する食品等が環境にないので、照明と消臭の両方を停止して、節電できる。
【００４７】
これとは異なり、たとえば、制御部１７０は、検出部１６０により人の存在が検出されない場合、照明１４０を点灯させつつも、ファン１５２を停止させてもよい。反対に、制御部１７０は、検出部１６０により人の存在が検出される場合、照明１４０を消灯させ、ファン１５２を駆動させる。このようにすれば、人が環境内にいない間にファン１５２だけを作動させて、環境内の空気を浄化できる。照明１４０の分の電力は節約できる。そして、人が環境内に来れば、駆動していたファン１５２を停止するので、ユーザーは、ファン１５２の駆動音を気にせずに、空気の浄化が済んだ環境を気持ちよく利用できる。好循環がうまれる。
【００４８】
（変形例４）
変形例４では、検出部１６０は、上記変形例１〜３のセンサーを複数組合せて有する。たとえば、検出部１６０は、臭いセンサーと人感センサーとを有する。この場合、制御部１７０は、次のような制御を行う。（１）制御部１７０は、臭気の量が閾値以上で、人がいる場合、ファン１５２および照明１４０をいずれも作動させる。（２）制御部１７０は、臭気の量が閾値未満で、人がいる場合、ファン１５２を停止し、照明１４０を作動させる。（３）制御部１７０は、臭気の量が閾値未満で、人がいない場合、ファン１５２および照明１４０をいずれも停止させる。（４）制御部１７０は、臭気の量が閾値以上で、人がいない場合、ファン１５２を作動させて、照明１４０を停止させる。制御部１７０がファン１５２の回転速度も段階的に増加したり低減したり制御できるなら、上記（４）の場合の方が、上記（１）の場合よりも高速でファン１５２を回転させてもよい。ファン１５
２を高速で回転するほど、発生する騒音が大きくなる。しかし、上記（４）の場合のように、人がいないのであれば、騒音が発生しても問題ないので、ファン１５２の回転速度を上げられる。このように回転速度を上げれば、人がいないうちに素早く空気を浄化できる。
【００４９】
変形例１〜４はあくまで一例であり、種々のセンサーを組合せて、様々な環境の変化を検出し、当該変化に合わせて適切にファン１５２および照明１４０の状態を切り換えることができる。
【００５０】
（変形例５）
図７は、計測部および通知部が設けられた空気清浄機能付き照明装置を示す図である。
【００５１】
変形例５では、上記実施形態または変形例１〜４に加えて、空気清浄機能付き照明装置１００は、図７に示すように、計測部１８０および通知部１８２を有する。
【００５２】
計測部１８０は、空気清浄機能付き照明装置１００の駆動時間を計測する。計測部１８０は、たとえば、タイマーである。通知部１８２は、ユーザーにフィルター１２０の交換時期を通知する。通知部１８２は、たとえば、照明１４０とは別の小さなランプである。計測部１８０により所定時間の経過が分かると、通知部１８２は、点灯によりユーザーにフィルター１２０の交換時期を通知する。あるいは、通知部１８２は、交換時期までは点灯を続け、交換時期に達すると消灯してもよい。
【００５３】
また、計測部１８０は、タイマーのように時間を計測するのではなく、ファン１５２の回転時間を計測してもよい。この場合、計測部１８０は、ファン１５２に接続される。ファン１５２の回転時間と、フィルター１２０を通過する空気の量は相関するため、タイマーよりも正確に、フィルター１２０の交換時期を設定し、ユーザーに通知できる。
【００５４】
なお、通知部１８２は、ランプのような発光手段だけに限定されない。音やアナウンスによりフィルター１２０の交換時期を通知してもよい。あるいは、ネットワークを介して、ユーザーが登録した端末にメッセージ等を通知してもよい。
【００５５】
（変形例６）
上記実施形態では、排気部１５０の上方に浄化後の空気が排気される形態を説明した。しかし、空気清浄機能付き照明装置１００は、排気の方向を制御するガイドを有してもよい。
【００５６】
図８はガイド付きの空気清浄機能付き照明装置の例を示す斜視図、図９は図８のＩＸ−ＩＸ線に沿った断面図である。
【００５７】
図８および図９に示すように、空気清浄機能付き照明装置１００は、排気部１５０の上方に、円板状のガイド１９０を有する。ガイド１９０が、排気部１５０の排気口１５４の上方にあるため、排出された空気は、ガイド１９０に当たり、方向転換され、図９において矢印で示すように、側方に流れる。これにより、天井に排気が当たらず、天井の汚れを防止できる。さらに、排出された空気が側方に流れる事により、浄化前の空気が上方へ移動することを防げる。結果として、浄化前の空気を筐体１１０内部に誘導しやすくできる。
【００５８】
一方、ガイド１９０は、図８および図９に示す形態に限られない。たとえば、空気清浄機能付き照明装置１００が天井から十分に離れた位置に吊り下げられる場合、排気が真上または斜め上方となるようにガイドを形成してもよい。このように、排気を上方とするこ
とで、排気風が、空気清浄機能付き照明装置１００から確実に離脱し、環境に戻る。より詳細には、排気風は、空気清浄機能付き照明装置１００の表面に近い方向に流れる場合、負圧により、より装置表面に引き寄せられる。結果として、表面に沿って排気風が流れることになる。そうすると、排気風が、筐体１１０に沿って、下方に向かうことになる。空気清浄機能付き照明装置１００の下で食事等をしていて、排気風がテーブル上に向かってくるのは、好ましくない場合がある。しかし、上述のように、真上または斜め上方に排気をガイドすることによって、排気風が装置を伝ってテーブルに向かうことを防止できる。
【符号の説明】
【００５９】
１００  空気清浄機能付き照明装置、
１１０  筐体、
１１２  吸気孔、
１１４  散乱板、
１１６  嵌合孔、
１２０  フィルター、
１２２  集塵フィルター、
１２４  脱臭フィルター、
１２６  流路、
１３０  内側ガード、
１３２  支持部、
１３４  ガード部、
１４０  照明、
１５０  排気部、
１５２  ファン、
１５４  排気口、
１５６  ネジ部材、
１６０  検出部、
１７０  制御部、
１８０  計測部、
１８２  通知部、
１９０  ガイド。
【図１】
2018206593.tif 000003
【図２】
2018206593.tif 000004
【図３】
2018206593.tif 000005
【図４】
2018206593.tif 000006
【図５】
2018206593.tif 000007
【図６】
2018206593.tif 000008
【図７】
2018206593.tif 000009
【図８】
2018206593.tif 000010
【図９】
2018206593.tif 000011